(57)【要約】  本発明に公開された通信システムにおけるデータ伝送の方法は、現在のチャンネル質を測定するステップと、チャンネル質と重複コーディング回数の対応関係に基づき、測定した前記チャンネル質に対応する重複コーディング回数を確定するステップと、確定した前記重複コーディング回数を利用し、送信待機データに対して重複コーディング多重化技術のコーディング操作を実行し、コーディング後のデータを送信するステップとを含む。当該方法によれば、チャンネル質が悪い場合、データ伝送の信頼性を高め、チャンネル質が良い場合、伝送効率を向上させ、資源の浪費を避けることができる。【選択図】図３
2011509013.tif 000002
【特許請求の範囲】
【請求項１】
現在のチャンネル質を測定するステップと、
チャンネル質と重複コーディング回数の対応関係に基づき、測定した前記チャンネル質に対応する前記重複コーディング回数を確定するステップと、
確定した前記重複コーディング回数を利用し、送信待機データに対して重複コーディング多重化技術のコーディング操作を実行し、コーディング後のデータを送信するステップと、
を含むことを特徴とする通信システムにおけるデータ伝送の方法。
【請求項２】
受信側が前記コーディング後のデータを受信し、前記重複コーディング回数を利用し、当該データに対して重複コーディング多重化技術のデコーディング操作を実行するステップと、
を更に含むことを特徴とする請求項１に記載の通信システムにおけるデータ伝送の方法。
【請求項３】
前記チャンネル質はチャンネルパラメータと干渉メッセージとを含むことを特徴とする請求項１に記載の通信システムにおけるデータ伝送の方法。
【請求項４】
通信システムの受信側よりチャンネル質を測定することを特徴とする請求項１に記載の方法。
【請求項５】
前記通信システムのアップリンクダウンリンク伝送に採用される搬送波の周波数が同一である際、通信システムの受信側より干渉メッセージを測定し、送信側に返信し、前記送信側は測定したチャンネルパラメータと受信した干渉メッセージに基づき、現在のチャンネル質を確定することを特徴とする請求項３に記載の通信システムにおけるデータ伝送の方法。
【請求項６】
前記受信側がチャンネル質を測定した後、前記送信待機データに対してコーディングを行う前に、前記受信側が測定した前記チャンネル質に基づき、対応する重複コーディング回数を確定し、送信側に返信するステップと、
または、前記受信側が送信側に測定したチャンネル質を返信し、送信側により現在のチャンネル質に対応する重複コーディング回数を確定するステップと、
を含むことを特徴とする請求項４に記載の通信システムにおけるデータ伝送の方法。
【請求項７】
現在のチャンネル質を測定する測定モジュールと、
チャンネル質と重複コーディング回数の対応関係に基づき、測定した前記チャンネル質に対応する重複コーディング回数を確定する回数確定モジュールを含み、
その内、前記重複コーディング回数は送信待機データに対して重複コーディング多重化技術のコーディング操作を実行する回数である、
ことを特徴とする通信装置。
【請求項８】
前記回数確定モジュールが確定した重複コーディング回数コードを通信先側に送信する回数送信モジュールをさらに含むことを特徴とする請求項７に記載の通信装置。
【請求項９】
前記測定モジュールが通信システム内の受信側に位置する際、測定した前記チャンネル質を前記回数確定モジュールに送信するチャンネル質送信モジュール
をさらに含むことを特徴とする請求項８に記載の通信装置。
【請求項１０】
受信した重複コーディング回数を利用して送信待機データに対して重複コーディング多重化技術のコーディング操作を実行し、かつコーディング後のデータを送信するのに用いる第１装置と、
現在のチャンネル質の測定し、チャンネル質と重複コーディング回数の対応関係に基づき、対応する重複コーディング回数を確定し、前記第１装置に送信し、前記重複コーディング回数を利用し、受信した前記コーディング後のデータに対して重複コーディング多重化技術のデコーディング操作を実行する第２装置と、
を含むことを特徴とする通信システム。
【請求項１１】
チャンネル質と重複コーディング回数の対応関係から受信したチャンネル質に対応する重複コーディング回数を確定し、当該重複コーディング回数を利用して送信待機データに対して重複コーディング多重化技術のコーディング操作を実行し、コーディング後のデータを送信する第１装置と、
現在のチャンネル質を測定し、前記第１装置に送信し，また、前記第１装置が確定した前記重複コーディング回数を利用して受信した前記コーディング後のデータに対して重複コーディング多重化技術のデコーディング操作を実行する第２装置と
を含むことを特徴とする通信システム。
【請求項１２】
アップリンクダウンリンク伝送に採用される搬送波の周波数が同一である通信システムであって、
測定した現在のチャンネルパラメータと受信した干渉メッセージに基づき、現在のチャンネル質を確定し、チャンネル質と重複コーディング回数の対応関係から前記チャンネル質に対応する重複コーディング回数を確定し、かつ当該重複コーディング回数を利用して送信待機データに対して重複コーディング多重化技術のコーディング操作を実行し、コーディング後のデータを送信する第１装置と、
干渉メッセージの測定、かつ前記第１装置に送信し，前記第１装置が確定した前記重複コーディング回数を利用して受信した前記コーディング後のデータに対して重複コーディング多重化技術のデコーディング操作を実行する第２装置と
を含むことを特徴とする通信システム。
【発明の詳細な説明】
【技術分野】
【０００１】
本発明は、通信分野のデータ伝送技術に関し、特に通信システムにおけるデータ伝送の方法、通信装置及び通信システムに関する。
【背景技術】
【０００２】
重複コード分割多重（Ｏｖｅｒｌａｐｐｅｄ Ｃｏｄｅ Ｄｉｖｉｓｉｏｎ Ｍｕｌｔｉｐｌｅｘｉｎｇ、ＯＶＣＤＭ）技術は、高スペクトル効率コーディングの多重化技術であり、コードレートが１より高い並列畳み込みコーディングを利用して通信システムの容量とスペクトル効率を大幅に高め、ＯＶＣＤＭ技術を利用してコーディング・デコーディングする方案は、データに対してのＯＶＣＤＭのコーディング・デコーディング操作の実行と呼ぶことができる。
【０００３】
データシンボルに対してＯＶＣＤＭコーディング実行を利用して広帯域無線伝送を実現する具体的な過程は図１が示すように、入力した直列データ内に１５個のデータシンボルを有し，かつ重複コーディング回数Ｋ＝３と設定する。即ち、毎回３つのデータシンボルを選択し、直並列操作を行う。その内容は以下のステップを含む。
【０００４】
第１ステップ：直列データ内のデータシンボルを３つ選択し、直並列変換の操作を実行し，３路並列のデータとなる。
【０００５】
本実施形態において直列配置の順序に従って、３つのデータシンボルごとに選択し、直並列変換の操作を行う。
【０００６】
第２ステップ：３路並列のデータにそれぞれ畳み込みコーディングを行う。
【０００７】
本ステップにおいて、畳み込みコーディングを行うことはつまり、｛ｂｋ−１０、ｂｋ−１１…ｂｋ−１L-1｝を重み付け係数とし、それぞれ現在入力した第１路データと第１路各レジスター内にストレージしたデータに対して重み付きスタックを行い，｛ｂｋ−１０、ｂｋ−１１…ｂｋ−１L-1｝を重み付け係数とし、第Ｋ路入力データと第Ｋ路レジスター内のデータに対して重み付きスタックを行う。その内、ｂｋ−１L-1は第Ｋ路並列コーディングスリップにおける第L個コーディングタップ係数ベクタの元素，Ｌは畳み込みコーディング各路の制約長である。
【０００８】
第３ステップ：３路並列入力データシンボルをそれぞれ各路のレジスター１内に保存する。もとのレジスター１内のデータをレジスター２に保存し，レジスター２内のデータをレジスター３に保存する。これより類推する。
【０００９】
データをレジスター内にストレージし、一路内にストレージしたデータ個数はレジスター個数の総数を超えない。各レジスター内に１つのデータをレジスターし、もし、t時刻に第１路内の各レジスター全てに既にデータをストレージしていた場合、t+１時刻に、第Ｌ−１個レジスター内のデータは破棄される。初期時刻には，レジスター内にストレージしたデータは０となる。
【００１０】
第４ステップ：３路畳み込みコーディング後のデータシンボルを一路データシンボルに重ね合わせて、かつＦ関数変換を経た後に出力する。
【００１１】
その内、Ｆ関数とその入力の間にはそれぞれ対応関係がある。
【００１２】
具体的には、Ｆ関数はデータシンボルに対して変換、またはマッピングを実行するものである。例えば、F(x)=ｅｘｐ（ｊ（π／４）ｘ）、即ち、３路（仮にＫ＝３）データシンボルの和を求めxを得た後、xをF関数に代入し計算を行い、出力する。Ｆ(x)＝xは、F関数が線性関数であることを示し、３路データシンボルの和を求め、xを得た後、直接出力し、F函数はデータに対して、必ずしも変換を行わない。
【００１３】
以上のコーディング過程から見て取れるように、ＯＶＣＤＭコーディング後のＫ個データシンボルのうち、ただ一つのデータシンボルが出力される。（コーディングと変調の同時実行に相当）。故に、システムのスペクトル効率をＫ倍高めた。即ち、人為的なデータシンボル間の重複干渉により、高効率のデータ伝送を実現でき、同時にコーディングの利得を得るようになった。
【００１４】
重複コーディング回数Ｋがより大きくなることにより、重複コーディングの制約長Ｌはより長くなり、測定の複雑さはより増す。測定の複雑さを減らすため、カスケードの方式を採用し高重複コーディング回数ＫのＯＶＣＤＭ過程を実現することができる。カスケードのＯＶＣＤＭ原理は図２に示すとおりである。その内，第１級ＯＶＣＤＭ１コーディングは非線性ＯＶＣＤＭコーディングを採用できるが、第２級ＯＶＣＤＭ２コーディングは線性ＯＶＣＤＭコーディングを採用できる。第１級ＯＶＣＤＭ１の出力は第２級ＯＶＣＤＭ２の入力とする。
【００１５】
ＯＶＣＤＭ技術において、そのリンク性能は採用した重複コーディング回数Ｋ及び重複コーディングの制約長Ｌと関連している。同じような重複コーディング回数には、制約長が長ければ長いほど、そのリンク性能は良くなる。一方、異なる重複コーディング回数に対しては、同じ制約長であれば、重複コーディング回数が大きければ大きいほど、伝送効率はより高くなる。しかし同じようなＳ/Ｎ比（Ｓｉｇｎａｌ Ｎｏｉｓｅ Ｒａｔｉｏ，Ｓ/ＮＲ）の条件の下、そのビット誤り率（Ｂｉｔ Ｅｒｒｏｒ Ｒａｔｉｏ，ＢＥＲ）または、ブロック誤り率（ＢｌｏｃＫ Ｅｒｒｏｒ Ｒａｔｉｏ，ＢＬＥＲ）性能はより悪くなってしまう。
【００１６】
ＯＶＣＤＭコーディングの測定はビタビアルゴリズムを基にした最尤シーケンス測定（ＭＬＳＤ）を採用でき、さらにユークリッド距離をパスメトリックとして採用するものである。
【００１７】
ＯＶＣＤＭのデコーディング過程は直列データ内の各データシンボルをＫ個並列データシンボルにデコーディングし、前記並列データシンボルに直列並列の転換を行い、デコーディング過程後に得たデータシンボル個数がデコーディング前の個数のＫ倍である。デコーディング方法は、最尤シーケンス測定方法または木グラフを基にした準最尤シーケンス測定方法を採用できる。具体的には、木グラフを基にした準最尤シーケンス測定方法における半正定値プログラミングアルゴリズムを利用してデコーディングを行うことができる。
【００１８】
実際のセルラーモバイル通信システムにおいて、端末が違った位置にいる際、基地局との間の通信の信号強度にも違いがある。例えば、室内、階段の踊り場、またはエレベーター内に位置する端末Ａと広々とした室外に位置する端末Ｂを比べると，たとえ基地局との間の距離が同じであったとしても、端末Ｂの信号強度は端末Ａの信号強度より強い。もし、端末Ａと端末Ｂが共に広々とした室外に位置する場合は、基地局との距離が近い端末Ａの信号強度は距離が遠い端末Ｂの信号強度より強い。
【発明の概要】
【発明が解決しようとする課題】
【００１９】
ＯＶＣＤＭの伝送システムにおいて、一般的には固定の重複コーディング回数Ｋを採用しているが、端末が通信システムの異なる場所に位置する際、端末と基地局との間の通信チャンネル質は安定ではない。もしチャンネル質は悪いが、Ｋ値が大きい場合はデータ伝送エラーをもたらす可能性があり、データ伝送の信頼性が下がる。もしチャンネル質は良いが、Ｋ値の値が小さい場合も伝送効率を下げ、通信資源の浪費をもたらす。
【課題を解決するための手段】
【００２０】
本発明は上記の問題点に鑑みてなされたものであり、従来技術における適当な重複コーディング回数を選択できないためにもたらされるデータ伝送の信頼性の低下、または伝送効率の低下と通信資源の浪費の問題を解決できる通信システムにおいてのデータ伝送の方法、通信装置及び通信システムを提供することを目的とする。
【００２１】
本発明の通信システムにおける伝送データの方法は、 現在のチャンネル質を測定するステップと、チャンネル質と重複コーディング回数の対応関係に基づき、測定した前記チャンネル質に対応する重複コーディング回数を確定するステップと、確定した前記重複コーディング回数を利用し、送信待機データに対して重複コード多重化技術のコーディング操作を行い，コーディング後のデータを送信するステップとを有する。
【００２２】
本発明の通信装置は、 現在のチャンネル質を測定する測定モジュールと、チャンネル質と重複コーディング回数の対応関係に基づき，測定した前記チャンネル質に対応する送信待機データに対して重複コーディング多重化技術のコーディング操作の実行に用いられる重複コーディング回数を確定する回数確定モジュールとを有する。
【００２３】
本発明の通信システムは、受信した重複コーディング回数を利用し、送信待機データに対して重複コーディング多重化技術のコーディング操作を実行し、コーディング後のデータを送信する第１装置と、現在のチャンネル質を測定し、チャンネル質と重複コーディング回数の対応関係に基づき、対応する重複コーディング回数を確定し、確定した重複コーディング回数を前記第１装置に送信し、また、前記重複コーディング回数に基づき、受信した前記された後のデータに対して重複コーディング多重化技術のデコーディング操作を行う第２装置とを有する。
【００２４】
本発明の通信システムは、チャンネル質と重複コーディング回数の対応関係から受信したチャンネル質に対応する重複コーディング回数を確定し、当該重複コーディング回数を利用して送信待機データに対して重複コーディング多重化技術のコーディング操作を行い、コーディング後のデータを送信する第１装置、現在のチャンネル質を測定し、前記第１装置に送信し、また、前記第１装置が確定した前記重複コーディング回数を利用して受信した前記コーディング後のデータに対して重複コーディング多重化技術のデコーディング操作を実行する第２装置とを有する。
【００２５】
本発明の通信システムにおいて、前記通信システムのアップリンクとダウンリンク伝送に採用される搬送波の周波数が同一であり、測定した現在のチャンネルパラメータと受信した干渉メッセージに基づき、現在のチャンネル質を確定し、チャンネル質と重複コーディング回数の対応関係から前記チャンネル質に対応する重複コーディング回数を確定し、当該重複コーディング回数を利用して送信待機データに対して重複コーディング多重化技術のコーディング操作を実行し、コーディング後のデータを送信する第１装置と、干渉メッセージを測定し、前記第１装置に送信し、前記第１装置が確定した前記重複コーディング回数を利用して受信した前記コーディング後のデータに対して重複コーディング多重化技術のデコーディング操作を実行する第２装置とを有する。
【００２６】
本発明に係る実施形態が提供する通信システムにおける伝送データの方法によれば、通信システム内の現在のチャンネル質に基づき、最良の重複コーディング回数を選択し、かつ当該重複コーディング回数に基づきＯＶＤＣＭコーディング/デコーディング操作実行することにより、チャンネル質が悪い場合、データ伝送の信頼性を高め、チャンネル質が良い場合では，伝送効率を高めさせ、資源の浪費を避けさせることができる。
【図面の簡単な説明】
【００２７】
【図１】背景技術における重複コーディング多重化技術コーディング実行の過程を示す図である。
【図２】背景技術におけるカスケード重複コーディング多重化技術の原理図である。
【図３】本発明の第１実施形態に係る通信システムにおけるデータ伝送の方法ステップフロー示す図である。
【図４】本発明の第１実施形態一におけるカスケードコーディング実行を示す図である。
【図５】本発明の第１実施形態におけるカスケードデコーディング実行を示す図である。
【図６】本発明の第１実施形態における反復デコーディングを示すフロー図である。
【図７】本発明の実施第２実施形態における通信装置の構造を示す図である。
【図８】本発明の第３実施形態における通信システムの構造を示す図である。
【発明を実施するための形態】
【００２８】
以下では図面を関連して本発明を詳しく説明する。
【００２９】
本発明の各実施形態にて記述する方案は全てＯＶＣＤＭ技術を基にしたものである。
【００３０】
図3に示された本発明の第１実施形態に係る通信システムにおけるデータ伝送の方法は以下のステップを含む。
【００３１】
ステップ３０１：現在のチャンネル質を測定する。
【００３２】
本ステップ内の測定操作は受信側で実行できる。具体的な実行方式としては、送信側がデータを送信する前に、固定メッセージ一つを受信側に送信し、受信側が前記固定メッセージを受信するのと同時にチャンネル内の各種パラメータを知らせられ、かつ、パラメータに基づき目下の送信側と受信側との間のチャンネル質を確定する。
【００３３】
アップリンクデータ伝送過程においては、送信側が端末，受信側が基地局である。ダウンリンクデータ伝送過程においては、送信側が基地局、受信側が端末である。
【００３４】
ステップ３０２：チャンネル質と重複コーディング回数の対応関係に基づき，測定したチャンネル質に対応する重複コーディング回数を確定する。
【００３５】
本実施形態において、実行したものがシングルＯＶＣＤＭコーディング/デコーディングであれば、１つの重複コーディング回数は１つの区間内のチャンネル質に対応する。例えば，もしチャンネル質がＳ/Ｎ比の大きさであると、Ｋ=１が対応するＳ/Ｎ比の区間を（0，4dB]、Ｋ=２が対応するＳ/Ｎ比の区間を（4dB，9dB]、Ｋ=3が対応するＳ/Ｎ比の区間を（9，１３dB]と設定できる。測定した現在のチャンネルのＳ/Ｎ比が5dBである際、当該のプレインストールしたＳ/Ｎ比区間とＫ値の対応関係に基づき、現在のチャンネルのＳ/Ｎ比5dBがＳ/Ｎ比区間（4dB，9dB]に属することと、現在のチャンネルのＳ/Ｎ比に対応するＫ値が２であることを確定でき、もし実行したものがカスケードＯＶＣＤＭコーディングであれば、各級重複コーディング回数の組み合わせ方式はそれぞれ１つの区間内のチャンネル質に対応する。例えば、（Ｋ１=１，Ｋ２=２）にそれぞれ対応するＳ/Ｎ比の区間が（0，4dB]、（Ｋ１=２，Ｋ２=２）にそれぞれ対応するＳ/Ｎ比の区間が（4dB，9dB]、（Ｋ１=3，Ｋ２=１）にそれぞれ対応するＳ/Ｎ比の区間が（9，１３dB]である。測定した現在のチャンネルのＳ/Ｎ比が5dBである際、当該プレインストールしたＳ/Ｎ比区間とＫ値の対応関係に基づき、現在のチャンネルのＳ/Ｎ比5dBがＳ/Ｎ比区間（4dB，9dB]に属し、現在のチャンネルのＳ/Ｎ比に対応するＫ値がＫ１=２，Ｋ２=２であることを確定できる。
【００３６】
対応関係はリストの形式で送信側と受信側にストレージでき、更に、リスト内のメッセージは実際のニーズに基づき、自動または手動で修正できる。
【００３７】
ステップ３０３：確定した前記重複コーディング回数を利用してＯＶＣＤＭコーディングを実行し、コーディング後にデータを送信する。
【００３８】
図４が示すように、もしシングルコーディングが実行されれば、ＯＶＣＤＭコーディングを一回実行し、もしカスケードコーディングが実行されれば、ＯＶＣＤＭコーディングを複数回実行する。
【００３９】
送信側は確定した前記重複コーディング回数に基づきＯＶＣＤＭコーディングを実行し、コーディング後のデータを受信側に送信する。
【００４０】
ステップ３０４：受信側は前記重複コーディング回数に基づき，受信したデータに対してＯＶＣＤＭデコーディングを実行する。
【００４１】
図５に示すように、もしシングルコーディングが実行されれば、ＯＶＣＤＭデコーディングを一回実行し、もしカスケードコーディングが実行されれば、ＯＶＣＤＭデコーディングを複数回実行する。本実施形態において、デコーディングの性能を高めるため、カスケードＯＶＣＤＭの反復デコーディングを行うことができる。
【００４２】
反復デコーディングとはつまり、各階級のＯＶＣＤＭに対してソフトインプットアウトプットのデコーディングを採用し、二つの階級のＯＶＣＤＭデコーダ間の外部メッセージ交換によりデコーディングの性能を高める。図６に示すように具体的なフローは以下の通りである。
【００４３】
まず、入力したデータシンボルに対してＯＶＣＤＭ２デコーディングを実行し、デコーディング後に出力したデータシンボルに対してデインターリビングを実行し、デインターリビング後のデータシンボルにＯＶＣＤＭ１デコーディングを実行する。ＯＶＣＤＭ１デコーディング後、出力したデータシンボルに対して判断を行い、出力したデータシンボル精度等の性能がリクエストを満たすかどうかを判断する。もし満たす場合は、一回の反復を完了する。そうでない場合は、さらに次の反復が必要となる。ＯＶＣＤＭ１はＯＶＣＤＭ２へ外部メッセージをフィードバックし、ＯＶＣＤＭ１が出力した外部メッセージはシンボルインタレースにより，ＯＶＣＤＭ２のインプットとなる。ＯＶＣＤＭ２はフィードバックした外部メッセージに基づき、再度入力データシンボルに対してデコーディングを行い、そしてＯＶＣＤＭ２が出力したデータシンボルにデインターリビングを行い、デインターリビングされたデータシンボに対してＯＶＣＤＭ１デコーディングを行い、ＯＶＣＤＭ１の入力とする。ＯＶＣＤＭ１デコーディング後に出力したデータシンボルに対して判断を行い、第２回反復を完了する。デコーディング性能を高めるため、数回反復を行っても良い。
【００４４】
受信側がデコーディングを行う際に使用した重複コーディング回数は多様な方式により得ることができ、以下の２タイプを含むがこれだけに限定しない。
【００４５】
タイプ１：受信側は、送信側から送信されたデータを受信すると同時に送信側から送信された前記重複コーディング回数をも受信する。
【００４６】
タイプ２：受信側が現在のチャンネル質を測定後、チャンネル質と重複コーディング回数の対応関係に基づき、測定した前記チャンネル質に対応する重複コーディング回数を確定する。
【００４７】
ステップ３０２において、受信側は直接測定したチャンネル質のパラメータを送信側にフィードバックでき、送信側によりプレインストールしたチャンネル質と重複コーディング回数の対応関係に基づき本ステップを実行しても良いし、受信側によりステップ３０２を実行して確定した重複コーディング回数を送信側にフィードバックしても良い。
【００４８】
本実施形態に関わるチャンネル質はチャンネルパラメータと干渉メッセージを含む。受信側によりチャンネル質を測定する際、受信側はチャンネルパラメータも測定し、干渉メッセージも測定する。
【００４９】
通信システムのアップリンクとダウンリンク伝送に採用される搬送波の周波数が同一である際に、例えば、通信システムが時分割複信（Ｔｉｍｅ Ｄｉｖｉｓｉｏｎ Ｄｕｐｌｅｘ，ＴＤＤ）システムである場合、送信側によりチャンネル質を確定できる。例えば，ＴＤＤシステムのダウンリンクデータ伝送過程において、端末から干渉メッセージを測定し、基地局に返し、基地局がチャンネルパラメータメッセージを測定し、また同時に受信した干渉メッセージと測定したチャンネルパラメータメッセージに基づき、現在のチャンネル質を確定する。
【００５０】
ステップ３０３において、確定した重複コーディング回数を利用してＯＶＣＤＭコーディングを実行するのに以下の２タイプを含むがこれだけに限定しない。
【００５１】
タイプ１：各重複コーディング回数にコーディングマトリックスを配置し、確定した重複コーディング回数値を利用してＯＶＣＤＭコーディングを実行し、即ち当該重複コーディング回数に対応するコーディングマトリックス内のｂ００… …ｂｋ−１L-1を利用してＯＶＣＤＭコーディングを実行する。
【００５２】
例えば，Ｋ=２時に対応するコーディングマトリックスは、 
2011509013.tif 000003
とすることができ、Ｋ=3時に対応するコーディングマトリックスを
2011509013.tif 000004
とすることができ、確定したＫ値に基づき対応するコーディングマトリックスを選択し、ＯＶＣＤＭ操作を行う。
【００５３】
タイプ２：事前にL列Ｋ行のコーディングマトリックスを一つ確定し、この時Ｋは経験値に基づき出現可能性のある最大値を選択することができる。さらに、ステップ３０１とステップ３０２に基づき、現在ニーズのある重複コーディング回数Ｋ′を確定した後、L列Ｋ行のコーディングマトリックスからＫ′行データを選択し、ＯＶＣＤＭコーディングを実行する。例えば、 Ｋ=5を選択し、L列5行のコーディングマトリックスを一つ得る。現在のＫ/=3を確定した際、L列5行的コーディングマトリックス内から3行のデータを選択し、ＯＶＣＤＭコーディングを実行する。
【００５４】
本発明実施形態が示す方法を通じて、本発明の第２実施形態にはさらに通信装置が提供されている。図7に示すように、当該装置は、
現在のチャンネル質を測定する測定モジュール１１と、
チャンネル質と重複コーディング回数の対応関係に基づき、測定した前記チャンネル質に対応する重複コーディング回数を確定する回数確定モジュール１２を有する。
前記重複コーディング回数は送信待機データに対して重複コーディング多重化技術のコーディング操作を実行するのに用いられる。
【００５５】
前記装置は前記回数確定モジュール１２が確定した重複コーディング回数コードを通信システム内のデータ伝送先へ送信する回数送信モジュール１３をさらに有する。
【００５６】
前記装置は前記測定モジュール１１が通信システム内の受信側に位置する際、測定した前記チャンネル質を前記回数確定モジュール１２に送信するチャンネル質送信モジュール１４をさらに有する。  
【００５７】
第１実施形態と第２実施形態の基の上で，本発明の第３実施形態には通信システムがさらに提供され、図8に示すように、当該システムは第１装置２１と第２装置２２を含む。その内、第１装置２１は受信した重複コーディング回数を利用し、送信待機データに対して重複コーディング多重化技術のコーディング操作を実行し、コーディング後のデータを送信する。第２装置２２は現在のチャンネル質を測定し、チャンネル質と重複コーディング回数の対応関係に基づき、対応する重複コーディング回数を確定し、前記第１装置に送信し、また前記重複コーディング回数を利用し受信した前記コーディング後のデータに対して重複コーディング多重化技術のデコーディング操作を行う。
【００５８】
本実施形態にはさらに以下のような並列案もある。
【００５９】
通信システムは、
チャンネル質と重複コーディング回数の対応関係から受信したチャンネル質に対応する重複コーディング回数を確定し、当該重複コーディング回数を利用し送信待機データに対して重複コーディング多重化技術のコーディング操作を実行し、コーディング後のデータを送信する第１装置２１と、
現在のチャンネル質を測定して前記第１装置に送信し、また、前記第１装置が確定した前記重複コーディング回数を利用し、受信した前記コーディングされたデータに対して重複コーディング多重化技術のデコーディング操作を実行する第２装置２２と
を有する。
【００６０】
本実施形態が記述した通信システムのアップリンクダウンリンク伝送に同一の搬送波の周波数を採用し、前記通信システムにおける第１装置２１と第２装置２２はそれぞれ以下の操作に用いられる。第１装置２１は測定した現在のチャンネルパラメータと受信した干渉メッセージに基づき、現在のチャンネル質を確定し、チャンネル質と重複コーディング回数の対応関係から前記チャンネル質に対応する重複コーディング回数を確定し、かつ当該重複コーディング回数を利用して送信待機データに対して重複コーディング多重化技術のコーディング操作を実行し、コーディング後のデータを送信する。第２装置２２は、干渉メッセージを測定して前記第１装置に送信し、前記第１装置が確定した前記重複コーディング回数を利用して受信した前記コーディング後のデータに重複コーディング多重化技術のデコーディング操作を実行するのに用いる。
【００６１】
本発明の実施形態に記載した方法、装置及び通信システムを通じて、チャンネル質が悪い場合、データ伝送の信頼性を高め、チャンネル質が良い場合、伝送効率を向上させ、資源の浪費を避けることができる。更には、送信側と受信側の能力により２者から一つを選択して重複コーディング回数を確定する操作を実行することにより、データ処理能力が弱い側の資源を節約することができるようになる。
【００６２】
当業者も知っているように本発明の範囲を逸脱しない状況下では、置換や変化させることはできる。このように本発明についての置換や変化は本発明の権利要求及び同技術の範囲内に属することであり、これらの置換や変化は本発明の意図する範囲内のものである。
【図１】
2011509013.tif 000005
【図２】
2011509013.tif 000006
【図３】
2011509013.tif 000007
【図４】
2011509013.tif 000008
【図５】
2011509013.tif 000009
【図６】
2011509013.tif 000010
【図７】
2011509013.tif 000011
【図８】
2011509013.tif 000012
【国際調査報告】
2011509013.tif 000013
2011509013.tif 000014
2011509013.tif 000015
2011509013.tif 000016